(57)【要約】【課題】携帯通信端末の紛失を防止しつつ、ユーザの利便性を高めること。【解決手段】携帯通信端末であって、他の携帯通信端末との間で近距離通信を行なう近距離通信手段と、近距離通信手段による他の携帯通信端末との間の通信状況に基づいて他の携帯通信端末との距離が所定値以上になったと判断した場合に、外部からの操作に対して認証を要求するロック状態に遷移するロック手段と、他の携帯通信端末と通信可能になったことを確認してロック状態を解除するための認証情報を他の携帯通信端末から受信する受信手段と、受信手段で受信した認証情報に基づいてロック状態を解除するロック解除手段と、ロック手段によるロック状態への遷移およびロック解除手段によるロック状態の解除の少なくとも一方を許可するための許可条件を設定する条件設定手段と、を備えた。【選択図】  図１
2014170429.tif 000002
【特許請求の範囲】
【請求項１】
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、外部からの操作に対して認証を要求するロック状態に遷移するロック手段と、
前記他の携帯通信端末と通信可能になったことを確認して、前記ロック状態を解除するための認証情報を前記他の携帯通信端末から受信する受信手段と、
前記受信手段で受信した前記認証情報に基づいて、前記ロック状態を解除するロック解除手段と、
前記ロック手段によるロック状態への遷移およびロック解除手段によるロック状態の解除、の少なくとも一方を許可するための許可条件を設定する条件設定手段と、
を備えた携帯通信端末。
【請求項２】
前記許可条件は、あらかじめ定めた時刻および場所の少なくともいずれか一方を含む請求項１に記載の携帯通信端末。
【請求項３】
前記受信手段が前記他の携帯通信端末から受信する認証情報は、前記他の携帯通信端末固有の情報、前記他の携帯通信端末にユーザが入力した情報、または、前記携帯通信端末から前記他の携帯通信端末に対してあらかじめ送信された情報のいずれかである請求項１または２に記載の携帯通信端末。
【請求項４】
前記受信手段で受信した前記認証情報と照合を行なうべき認証情報をあらかじめ記憶する認証情報記憶手段をさらに有する請求項１乃至３のいずれか１項に記載の携帯通信端末。
【請求項５】
前記受信手段で受信した前記認証情報と照合を行なうべき認証情報をあらかじめ記憶する認証情報記憶装置から前記認証情報を受信する認証情報受信手段をさらに有する請求項１乃至３のいずれか１項に記載の携帯通信端末。
【請求項６】
前記ロック状態に遷移した場合に、警告音声を出力する音声出力手段をさらに備えた請求項１乃至５のいずれか１項に記載の携帯通信端末。
【請求項７】
前記音声出力手段は、前記他の携帯通信端末からの指示に応じて音声を出力する請求項６に記載の携帯通信端末。
【請求項８】
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、警告音声を出力する音声出力手段と、
前記他の携帯通信端末と通信可能になったことを確認して、前記他の携帯通信端末のロック状態を解除するための認証情報を前記他の携帯通信端末に送信する送信手段と、
前記他の携帯通信端末から警告音声を出力させるための音声出力指示手段と、
を備えた携帯通信端末。
【請求項９】
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
を含む携帯通信端末の制御方法。
【請求項１０】
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
をコンピュータに実行させる携帯通信端末の制御プログラム。
【発明の詳細な説明】
【技術分野】
【０００１】
本発明は、携帯通信端末の紛失防止技術に関する。
【背景技術】
【０００２】
特許文献１には、電子機器の置き忘れや盗難に際し、他人による不正使用を防止するため、携帯電話に内蔵された使用制限装置とキーとの間において、所定間隔でポーリングを行ない、周期的にキーと携帯電話との距離を確認する技術が開示されている。
【０００３】
キーとの間でポーリングできなくなり、キーまたは携帯電話で互いの認証のいずれかに失敗すると、携帯電話をロックする。一方、携帯電話の使用タイミングからの経過時間に応じてポーリング間隔を変化させる。
【０００４】
一方、特許文献２には、認証ＩＤを記憶する無線通信ユニットと携帯電話との間で無線認証を行ない、無線認証が成功すれば携帯電話の使用制限を解除し、失敗すれば携帯電話の使用制限を行なう技術が開示されている。
【０００５】
さらに、特許文献３にも、携帯電話機の紛失防止技術が開示されている。携帯電話機本体と付属ユニットとの間で近距離通信を行ない、携帯電話機本体から所定の距離範囲内に正規の付属ユニットが検出されない場合、携帯電話機本体において異常発生の警告を行なうと共にロック状態に遷移する。
【先行技術文献】
【特許文献】
【０００６】
【特許文献１】ＷＯ２００６／１１５２２２号公報
【特許文献２】ＷＯ２００７／００４５８２号公報
【特許文献３】特開平１１−２９６２７６号公報
【発明の概要】
【発明が解決しようとする課題】
【０００７】
しかしながら、上記文献に記載の技術では、使用の制限は行なっているものの、単に紛失と判定した際にロック状態にするだけなので、ユーザの利便性は十分ではなかった。
【０００８】
本発明の目的は、上述の課題を解決する技術を提供することにある。
【課題を解決するための手段】
【０００９】
上記目的を達成するため、本発明に係る携帯通信端末は、
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、外部からの操作に対して認証を要求するロック状態に遷移するロック手段と、
前記他の携帯通信端末と通信可能になったことを確認して、前記ロック状態を解除するための認証情報を前記他の携帯通信端末から受信する受信手段と、
前記受信手段で受信した前記認証情報に基づいて、前記ロック状態を解除するロック解除手段と、
前記ロック手段によるロック状態への遷移およびロック解除手段によるロック状態の解除、の少なくとも一方を許可するための許可条件を設定する条件設定手段と、
を備えた。
【００１０】
上記目的を達成するため、本発明に係る他の携帯通信端末は、
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、警告音声を出力する音声出力手段と、
前記他の携帯通信端末と通信可能になったことを確認して、前記他の携帯通信端末のロック状態を解除するための認証情報を前記他の携帯通信端末に送信する送信手段と、
前記他の携帯通信端末から警告音声を出力させるための音声出力指示手段と、
を備えた。
【００１１】
上記目的を達成するため、本発明に係る携帯通信端末の制御方法は、
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
を含む。
【００１２】
上記目的を達成するため、本発明にかかる携帯通信端末の制御プログラムは、
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
を含む。
【発明の効果】
【００１３】
本発明によれば、携帯通信端末の紛失を防止しつつ、ユーザの利便性を高めることができる。
【図面の簡単な説明】
【００１４】
【図１】本発明の第１実施形態に係る携帯通信端末の構成を示すブロック図である。
【図２Ａ】本発明の第２実施形態に係る紛失防止システムの構成を示す図である。
【図２Ｂ】本発明の第２実施形態に係る紛失防止システムの使用方法を示す図である。
【図３】本発明の第２実施形態に係る紛失防止システムの使用方法を説明する図である。
【図４Ａ】本発明の第２実施形態に係る紛失防止システムの機能構成を示すブロック図である。
【図４Ｂ】本発明の第２実施形態に係る紛失防止システムの処理の流れを示すシーケンス図である。
【図５】本発明の第２実施形態に係るスマートフォンの処理の流れを示すフローチャートである。
【図６】本発明の第２実施形態に係るスマートフォンの処理の流れを示すフローチャートである。
【図７】本発明の第２実施形態に係るスマートフォンのロック条件の一例を示す図である。
【図８】本発明の第２実施形態に係るスマートフォンの認証情報の一例を示す図である。
【図９】本発明の第２実施形態に係るスマートフォンの条件設定画面の一例を示す図である。
【図１０】本発明の第２実施形態に係るスマートフォンの認証情報入力画面の一例を示す図である。
【図１１】本発明の第３実施形態に係る紛失防止システムの機能構成を示すブロック図である。
【発明を実施するための形態】
【００１５】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１６】
［第１実施形態］
本発明の第１実施形態としての携帯通信端末１０１について、図１を用いて説明する。携帯通信端末１０１は、近距離通信部１１１とロック部１１２と認証情報受信部１１３とロック解除部１１４と条件設定部１１５とを含む。
【００１７】
近距離通信部１１１は、他の携帯通信端末１０２との間で近距離通信を行なう。ロック部１１２は、近距離通信部１１１による他の携帯通信端末１０２との間の通信状況に基づいて、他の携帯通信端末１０２との距離が所定値以上になったと判断した場合に、外部からの操作に対して認証を要求するロック状態に遷移する。
【００１８】
認証情報受信部１１３は、他の携帯通信端末１１２と通信可能になったことを確認して、ロック状態を解除するための認証情報を他の携帯通信端末１１２から受信する。
【００１９】
ロック解除部１１４は、認証情報受信部１１３で受信した認証情報に基づいて、ロック状態を解除する。
【００２０】
条件設定部１１５は、ロック部１１２によるロック状態への遷移およびロック解除部１１４によるロック状態の解除、の少なくとも一方を許可するための許可条件を設定する。
【００２１】
以上の構成により、ロック状態への遷移およびロック状態の解除の少なくとも一方について、許可条件を設定できるので、携帯通信端末の紛失防止機能に一定の自由度を持たせることができる。
【００２２】
［第２実施形態］
次に本発明の第２実施形態に係る情報処理システム２００の構成および動作について説明する。図２Ａは、情報処理システム２００の全体概要を示す図である。
【００２３】
（システム構成）
図２Ａにおいて、情報処理システム２００は、携帯通信端末の一例としてのスマートフォン２０１と、スマートフォン２０１の紛失を防止するための携帯通信端末としての紛失防止デバイス２０２と、スマートフォン２０１と通信可能なサーバ２０３とを含む。ここでは、スマートフォン２０１を例に説明するが、本発明はこれに限定されるものではない。本明細書に含まれる全ての実施形態は、例えば、携帯電話やスマートデバイスや電子書籍端末やＰＤＡ（パーソナルデジタルアシスタント）など、どのような携帯通信端末にも適用可能である。図２Ａでは、紛失防止デバイス２０２として、紛失防止機能に特化したキーホルダー大の小さなデバイスを示しているが、本発明はこれに限定されるものではなく、もっと多機能な（画面やＧＰＳ(Global Positioning System)機能などを有した）デバイスでもよい。例えば、ＭＰ３プレーヤーでもよいし、他のスマートデバイスでも、電子書籍端末などでもよい。
【００２４】
携帯電話やスマートフォンには、個人情報が大量に格納されており、紛失時に悪用されるとユーザまたはその関係者に甚大な被害が及ぶことが容易に想定できる。そのため、紛失防止、紛失時の情報流出防止、および不正利用の防止などを実現する必要がある。そのため、スマートフォン２０１のユーザには、紛失防止デバイス２０２をスマートフォン２０１と一緒に持ち歩いて貰う。
【００２５】
スマートフォン２０１は、紛失防止デバイス２０２と近距離通信を定期的に行なうことにより、スマートフォン２０１自体がユーザの手元から離れたか否かを判定する。そして、必要に応じてサーバ２０３と通信を行ない、スマートフォン２０１の発見を促すための情報や、紛失中にスマートフォン２０１に対して送信されたまたは送信されるべきだった情報をサーバ２０３に蓄積する。紛失防止デバイス２０２は、例えば図２Ａのようにキーホルダーとして用いることができる。紛失防止デバイス２０２は、例えば、ボタン２２１や、ＵＳＢ接続端子２２２を備えている。ＵＳＢ接続端子２２２を不図示のＰＣ(Personal Computer)に接続することによって紛失防止デバイス２０２内のメモリに保存された情報をＰＣのディスプレイに表示することができる。
【００２６】
図２Ｂは、スマートフォン２０１と紛失防止デバイス２０２との間でやり取りされる情報について説明するための図である。スマートフォン２０１と紛失防止デバイス２０２とは、定期的に近距離無線通信を行ない、それらの距離を確認する。スマートフォン２０１のユーザは、紛失防止デバイス２０２が内蔵されたキーホルダーを購入し、指定された紛失防止アプリケーション２１１をダウンロードすることにより、キーホルダーとスマートフォンとを連携させることが可能となる。ここでは、紛失防止アプリケーション２１１が子犬の画像を表示し、紛失防止デバイス２０２が小さな親犬のぬいぐるみ２２５に内蔵されている様子を示している。このような構成にすることにより、ユーザはより親しみを持って、紛失防止デバイス２０２を使用することができる。紛失防止デバイス２０２とスマートフォン２０１とは、定期的に通信を行ない、お互いが所定距離内にあることを確認する。このとき、紛失防止デバイス２０２は、紛失防止アプリケーション２１１に対して電池残量を通知する。スマートフォン２０１は、紛失防止アプリケーション２１１の表示画面に、紛失防止デバイス２０２の電池残量をアイコン２１２として表示する。
【００２７】
また、紛失防止アプリケーション２１１は、一定時間おきに、スマートフォン２０１が内蔵しているＧＰＳチップ（不図示）から地理的所在地情報を取得し、紛失防止デバイス２０２に送信する。紛失防止デバイス２０２は、スマートフォン２０１の位置情報を受信すると、最新の位置情報で過去の位置情報を上書きしていく。これにより、少ないメモリで有用な情報を保存することができる。また、紛失防止デバイス２０２から、場所に応じた音声メッセージを出力することもできる。
【００２８】
スマートフォン２０１が紛失防止デバイス２０２から一定距離以上離れた場合には、いずれか一方または両者において、音声出力を行なうことによって、ユーザに対してアラートを行なう。ここでは、紛失防止アプリケーション２１１が表示した子犬が、紛失防止デバイス２０２としての親犬に対して、話しかけるような音声出力をする例を示している。
【００２９】
一方、紛失防止デバイス２０２のボタン２２１がユーザにより押下された場合には、紛失防止デバイス２０２は、音声出力指示をスマートフォン２０１に送る。スマートフォン２０１（または紛失防止アプリケーション２１１）は、紛失防止デバイス２０２からの指示に応じて音声を出力する。このようにすることで、キーホルダーさえ持っていれば、スマートフォン２０１に対してわざわざ発呼しなくても、その位置を突き止めることができる。家の中など、ユーザの生活圏でスマートフォン２０１をなくしてしまった場合には非常に有効な検知方法である。紛失防止デバイス２０２は、ＵＳＢ（Universal Serial Bus）コネクタ２２２を有しており、ＰＣと接続可能に構成されている。これにより、紛失防止デバイス２０２から、最後に保存した、スマートフォン２０１の位置情報を読み出して、スマートフォン２０１の紛失場所を突き止めることができる。
【００３０】
（使用状況と動作）
図３は、紛失防止デバイス２０２の動作を示す図である。通常、上段３０１に示しているように、スマートフォン２０１と紛失防止デバイス２０２とを両方、ユーザ３１０のそばに置いている。この場合、スマートフォン２０１と紛失防止デバイス２０２とは、互いに通信を行なって情報をやり取りしているものの、ユーザはそれを意識することはない。
【００３１】
次に、２段目３０２のように、スマートフォン２０１を机の上に置き忘れたまま、紛失防止デバイス２０２のみを所持して移動した場合、スマートフォン２０１と紛失防止デバイス２０２との間の通信が切断されて所定時間経過したことをタイマで確認する。そして、それぞれアラームを発信する。紛失防止デバイス２０２を持つユーザ３１０または、家にいる家族や職場の同僚や店の店員などがそれに気づき、ユーザ３１０に対して、スマートフォン２０１の置き忘れを知らせれば、スマートフォン２０１の紛失を防止できる。
【００３２】
一方、紛失防止デバイス２０２を持つユーザ３１０が気づいて、慌てて家や職場や店に戻っても、スマートフォン２０１の位置が分からない場合がある。その場合には、３段目３０３に示したように、スマートフォン２０１の近くにいる状態で、紛失防止デバイス２０２のボタンを押すことによって、スマートフォン２０１からアラーム音声が出力される。これにより、紛失したスマートフォン２０１を実に簡単に見つけることができる。
【００３３】
さらに、紛失防止デバイス２０２を持つユーザ３１０が、スマートフォン２０１を置き忘れたことを気づかないまま一定時間経過した場合には、４段目３０４に示したように、あらかじめ定めた許可条件（場所や時間帯）に応じて、ロック状態に遷移する。例えば、自宅や会社など、他人に持ち去られる可能性が低く、自分で見つけられる可能性が高い場所についてはあらかじめロックしない場所として設定することにより、ロック解除の手間を防ぐことが可能になる。また、夜間は他人に持ち去られる可能性が少なく、朝になってすぐに見つけることができると考えれば、夜間をロックしない時間帯として設定することにより、ロック解除の手間を省くことができる。なお、４段目３０４に示したように、場所や時間帯に応じて、スマートフォン２０１から出力されるアラートメッセージの内容を変えてもよい。
【００３４】
さらに、紛失防止アプリケーション２１１においては、ロック中、スマートフォン２０１の位置情報をサーバ２０３に定期的に送信する設定にすることができる。その場合、最下段３０５に示したように、紛失防止デバイス２０２をＰＣ３２０にＵＳＢ接続して、紛失防止デバイス２０２のデバイスＩＤをサーバ２０３に通知することにより、ＰＣ３２０の画面上で、スマートフォン２０１の位置を確かめることができる。
【００３５】
サーバ２０３は、紛失防止アプリケーション２１１からの要求に応じて、スマートフォン２０１の識別情報と紛失防止デバイス２０２のデバイスＩＤとを紐付けたテーブルを登録している。そのため、ユーザ３１０は、ＰＣ３２０に紛失防止デバイス２０２を接続するだけで、デバイスＩＤに紐付けられたスマートフォン２０１の位置情報や、スマートフォン２０１に送信された、または送信されるべきメールを、閲覧することができる。
【００３６】
これにより、紛失したスマートフォン２０１を簡単に見つけることができ、さらに、スマートフォン２０１が手元になくても、スマートフォン２０１に対するメッセージを受け取ることができ、非常に大きな安心感を得ることができる。
【００３７】
（全体機能構成および動作）
図４Ａは、スマートフォン２０１および紛失防止デバイス２０２の機構構成を示す図である。スマートフォン２０１は、紛失防止機能として、近距離通信部４０１、ロック部１０２、認証情報受信部４０３、ロック解除部４０４、条件設定部４０５を備えている。さらに、スマートフォン２０１は、通信状況判定部４０６、音声出力部４０７、認証情報記憶部４０８、時計４０９、ＧＰＳセンサ４１０、表示部４１１を備えている。一方、紛失防止デバイス２０２は、近距離通信部４２１、通信状況判定部４２２、認証情報記憶部４２３、認証情報送信部４２４、音声出力指示部４２５、音声出力部４２６および時刻・位置情報記憶部４２７を備えている。
【００３８】
スマートフォン２０１の近距離通信部４０１は、他の携帯通信端末としての紛失防止デバイス２０２の近距離通信部４２１との間で近距離通信を行なう。
【００３９】
通信状況判定部４０６は、近距離通信部４０１と近距離通信部４２１との間の通信状況を判定する。ロック部４０２は、判定された通信状況に基づいて、紛失防止デバイス２０２との距離が所定値以上になったと判断した場合に、外部からの操作に対して認証を要求するロック状態に遷移する。ロック状態では、不正使用を防止するためにスマートフォン２０１の外部からの操作を遮断する。
【００４０】
認証情報受信部４０３は、紛失防止デバイス２０２と通信が可能になったことを確認して、ロック状態を解除するための認証情報を紛失防止デバイス２０２から近距離通信部４０１を介して受信する。
【００４１】
ロック解除部４０４は、認証情報受信部４０３で受信した認証情報に基づいて、ロック状態を解除する。具体的には、初期設定で紛失防止デバイス２０２から受信し、認証情報記憶部４０８にあらかじめ記憶された認証情報と、ロック状態になった後に、紛失防止デバイス２０２から受信した認証情報とを照合することによってロック解除を認める。具体的には、ロック解除部４０４は、認証情報の照合に成功した場合、ロック解除の操作を受け付ける状態になる。その状態で、スマートフォン２０１に対して、画面ロック解除のためのパターン入力や暗証番号入力が行なわれた場合には、スマートフォン２０１の全操作が可能となる。ロック解除部４０４は、認証情報の照合に成功した場合、例えば図１０に示す画面１０００をさらに表示して、電話番号およびパスワードを入力させ、それらの照合に成功した場合にロックを解除してもよい。
【００４２】
条件設定部４０５は、ロック部４０２によるロック状態への遷移およびロック解除部４０４によるロック状態の解除、の少なくとも一方を許可するための許可条件を設定する。具体的には条件設定部４０５は、許可条件として、あらかじめ定めた時刻および場所の少なくともいずれか一方を設定する。例えば、図７に示すように、ロック状態への遷移を禁止する条件として、ロックしない時刻７０１やロックしない場所７０２を、条件設定部４０５に設定することができる。時計４０９やＧＰＳセンサ４１０の出力と、条件設定部４０５に設定された条件とを照合することによって、ロック部４０２およびロック解除部４０４は、ロック状態へ遷移すべきか、ロック解除すべきかを判断する。
【００４３】
音声出力部４０７は、紛失防止デバイス２０２との間で近距離通信が確立できなくなった場合に、一定距離離れたと判定して警告音声を出力する。また、ロック状態に遷移した場合にも警告音声を出力する。
【００４４】
認証情報記憶部４０８は、認証情報受信部４０３で紛失防止デバイス２０２から受信した認証情報と照合を行なうべき認証情報をあらかじめ記憶している。この認証情報は、紛失防止デバイス２０２に固有の情報であってもよいし、紛失防止デバイス２０２に対してユーザが入力した情報であってもよい。さらには、スマートフォン２０１のタッチパッドから入力され、紛失防止デバイス２０２に対してあらかじめ送信され、認証情報記憶部４２３に記憶されていた情報でもよい。図８に認証情報記憶部４０８に格納される認証情報の例を示す。この例では、利用者が契約した携帯電話の電話番号８０１とパスワード８０２の組が格納されている。
【００４５】
表示部４１１は、タッチパネルであり、紛失防止アプリケーションの実行画面を表すために用いられる。紛失防止デバイス２０２を紛失した場合には、最後に紛失防止デバイス２０２と近距離通信を行なった場所および時刻を表示部４１１に表示して、ユーザが紛失防止デバイス２０２を探すのを補助することもできる。さらに、近距離通信部４０１、４２１を介して取得した紛失防止デバイス２０２の電池残量を表示することもできる。また、音声出力部４０７は、紛失防止デバイス２０２の音声出力指示部４２５（図２のボタン２２１と連動）からの指示に応じて音声を出力する。また、条件設定部４０５に設定される時刻や位置情報を入力するため、図９に示すような画面９００を表示部４１１に表示してもよい。
【００４６】
一方、紛失防止デバイス２０２の近距離通信部４２１は、近距離通信部４０１との間で近距離通信を行なう。通信状況判定部４２２は、近距離通信部４２１によるスマートフォン２０１との間の通信状況を判定する。通信状況が悪化すると、スマートフォン２０１と離れたものと判断して、音声出力部４２６から警告音声を出力する。つまり、スマートフォン２０１との距離が所定値以上になったと判断して、警告音声を出力する。
【００４７】
認証情報送信部４２４は、スマートフォン２０１と通信可能になったことを確認して、スマートフォン２０１のロック状態を解除するための認証情報を認証情報記憶部４２３から読み出してスマートフォン２０１に送信する。なお、ここでは認証情報をあらかじめ認証情報記憶部４２３に記憶していることとしたが、本発明はこれに限定されない。例えば、紛失防止デバイス２０２側の入力機能を用いて認証情報が入力されてもよい。例えば、紛失防止デバイス２０２に指紋照合機能が備わっている場合には、その指紋を認証情報として利用してもよい。また、紛失防止デバイス２０２にマイクと声紋照合機能が備わっている場合には、声紋を認証情報として利用してもよい。
【００４８】
音声出力指示部４２５は、図２のボタン２２１と連動して、音声出力指示をスマートフォン２０１に送る。これにより、紛失したスマートフォン２０１を見つけやすくなる。一方、音声出力部４２６は、紛失防止デバイス２０２自体での警告音声を出力する。音声出力部４２６は、スマートフォン２０１から離れた場合や、スマートフォン２０１から音声出力指示があった場合などに、音声出力を行なう。
【００４９】
時刻・位置情報記憶部４２７は、スマートフォン２０１から近距離通信部４０１、４２１を介して送られてきた時刻情報および位置情報（最後にスマートフォン２０１から受信したもの）を記憶する。
【００５０】
スマートフォン２０１および紛失防止デバイス２０２は、その他、パスワードなどの認証情報を入力する機能を有してもよい。
【００５１】
図４Ｂは、サーバ２０３、スマートフォン２０１、紛失防止デバイス２０２およびＰＣ３２０の間での情報のやり取りおよび処理の流れを説明するためのシーケンス図である。
【００５２】
紛失防止デバイス２０２を購入したユーザは、その購入の際にタグに記載されたＵＲＬにアクセスし、スマートフォン２０１において、紛失防止アプリケーション２１１をインストールする（Ｓ４０１）。次に、初期設定として、スマートフォン２０１と紛失防止デバイス２０２との間でマッチング処理を行なう（Ｓ４０２，Ｓ４０３）。例えば、近距離通信技術としてBluetooth（登録商標）を利用する場合には、ステップＳ４０２において、スマートフォン２０１の周囲にあるBluetooth（登録商標）対応機器としての紛失防止デバイス２０２を探索する。そして、紛失防止デバイス２０２とスマートフォン２０１との間のペアリングを行なう。このとき、紛失防止デバイス２０２からスマートフォン２０１に対して認証情報としてのデバイスＩＤを送信する。
【００５３】
ステップＳ４０４において、スマートフォン２０１の紛失防止アプリケーション２１１は、紛失防止デバイス２０２から受信したデバイスＩＤを認証情報として記憶する。さらに紛失防止アプリケーション２１１は、ステップＳ４０５において、デバイスＩＤとスマートフォン２０１を識別するためのスマートフォンＩＤとを、紛失防止アプリケーション２１１用のサーバ２０３に送信する。サーバ２０３は、ステップＳ４０６において、デバイスＩＤとスマートフォン２０１とを関連付けて登録する。
【００５４】
ステップＳ４０７、ステップＳ４０８では、通常時処理として、スマートフォン２０１と紛失防止デバイス２０２との間で定期的に通信を行なう。具体的にはスマートフォン２０１が、紛失防止デバイス２０２に対してポーリングを行ない、紛失防止デバイス２０２は、Ack信号を返す。そして、スマートフォン２０１から紛失防止デバイス２０２へ、ＧＰＳセンサで取得した位置情報および時計から取得した時刻情報が送られる。一方、紛失防止デバイス２０２からは、デバイスの電池残量が、スマートフォン２０１に送られる。
【００５５】
ステップＳ４０９およびＳ４１０において、スマートフォン２０１と紛失防止デバイス２０２との間の通信ができないことを検知すると、ステップＳ４１１、Ｓ４１２に進み、それぞれにおいてアラートを行なう。つまり、振動や音を発生させて、ユーザに対して、スマートフォン２０１と紛失防止デバイス２０２とが離れてしまったことを伝える。
【００５６】
その後一定時間経過しても通信が再確立できない場合にはステップＳ４１３に進み、設定された条件を参照しつつスマートフォン２０１をロック状態にする。ロック状態になったスマートフォン２０１は、電話およびメールの転送設定をオンにして、スマートフォン２０１に対する通信は、サーバ２０３に一旦転送される。また、スマートフォン２０１がロック状態の間、スマートフォン２０１の位置情報を一定時間ごとに取得し、サーバ２０３に送信する（Ｓ４１５）。サーバ２０３は、スマートフォン２０１から送信されたデータを全て蓄積する（Ｓ４１６）。
【００５７】
紛失防止デバイス２０２では、スマートフォン２０１を紛失している間に、ＰＣ３２０に接続されると、ＰＣ３２０を介してデバイスＩＤがサーバ２０３に送られ、ログインする。サーバ２０３は、デバイスＩＤで認証を行なうと共にスマートフォン２０１を特定し、スマートフォン２０１に対する着信履歴やメール、スマートフォン２０１の位置情報などを読み出してＰＣ３２０に送信する（Ｓ４１８）。これにより、ＰＣ３２０では、ステップＳ４１９において、転送メール、紛失位置、紛失時刻および現在位置の表示を行なう。
【００５８】
（ロック処理）
図５を用いてロック処理の流れについて説明する。図５は、スマートフォン２０１においてロック状態に遷移する際の処理の流れを示すフローチャートである。
【００５９】
ステップＳ５０１において、通信状況判定部４０６が、紛失防止デバイス２０２との間で電波強度が弱まり、通信が行なえなくなった、通信品質が一定値以下に落ちたことを検出すると、ステップＳ５０３に進み、ロック部４０２が経過時間を計測する。不図示のタイマによって計測した経過時間が一定値以上になれば、ステップＳ５０５に進み、時計４０９やＧＰＳセンサ４１０から、時刻および位置情報を取得する。さらにステップＳ５０７に進むと、ロック部４０２は条件設定部４０５からロック条件を読出す。時刻および位置情報に照らして、ロックすべきと判断するとステップＳ５０９からステップＳ５１１に進みロック状態に遷移し、認証を要求するモードに移行する。紛失防止デバイス２０２との間の通信が途切れても、一定条件を満たさない場合にはロックすべきでないと判断する。
【００６０】
このように、ロックする条件を設定できるため、ユーザのロック解除の煩わしさを軽減することができる。
【００６１】
（ロック解除処理）
図６を用いてロック解除処理の流れについて説明する。図５は、スマートフォン２０１においてロックを解除する際の処理の流れを示すフローチャートである。
【００６２】
ステップＳ６０１において、スマートフォン２０１が、無線または有線で紛失防止デバイス２０２と接続されたか否か判定する。次にステップＳ６０３において、デバイスＩＤを紛失防止デバイス２０２から受信し、照合する。受信できなかったり、照合に失敗したりした場合には、処理を終了する。
【００６３】
ステップＳ６０５においては、時計４０９やＧＰＳセンサ４１０から、時刻および位置情報を取得する。さらにステップＳ６０７に進むと、ロック部４０２は条件設定部４０５からロック解除条件を読出す。時刻および位置情報に照らして、ロック解除すべきと判断するとステップＳ６０９からステップＳ６１１に進み、ロック解除操作の受付画面を表示する。
【００６４】
ロック解除条件は、全く設定しなくてもよいが、例えば、時刻と場所を限定すれば、スマートフォン２０１と紛失防止デバイス２０２の双方を紛失、または盗難された場合であっても、非常に強固なセキュリティでデータを守ることが可能となる。例えば、ユーザが必ず自宅にいる時間帯および自宅の位置を、ロック解除条件に指定すれば、他人がロック解除を行なう可能性は極めて小さくなる。
【００６５】
ロック解除操作の受付画面は、例えば図１０の画面１０００のようなものでもよいし、パターンによる照合を利用してもよい。
【００６６】
ステップＳ６１３では、ロック解除操作受付画面における操作を認証し、認証ＯＫの場合にはステップＳ６１５に進み、スマートフォン２０１のセキュリティロックを解除する。
【００６７】
以上説明したように、本実施形態によれば、ロック状態への遷移を、利用者が携帯しているデバイスと通信不可になった場合であって、かつ、利用者があらかじめ設定したロック状態遷移条件にあてはまる場合に限定する。これにより、利用者が携帯電話を紛失していなくてもロック状態に遷移してしまい、利用者の利便性が低下してしまうことを回避できる。
【００６８】
一方、ロック解除についても、利用者が携帯しているデバイスと通信可能になった場合であって、かつ、利用者があらかじめ設定したロック解除条件にあてはまる場合に限定する。これにより、利用者が携帯電話を紛失してロック状態に遷移した場合の、セキュリティを極めて高くできる。
【００６９】
［第３実施形態］
次に本発明の第３実施形態に係る情報処理システム１１００について、図１１を用いて説明する。図１１において、情報処理システム１１００は、携帯通信端末の一例としてのスマートフォン１１０１と、紛失防止デバイス２０２と、スマートフォン１１０１と通信可能なサーバ１１０３とを含む。本実施形態に係る情報処理システム１１００は、上記第２実施形態と比べると、スマートフォン１１０１が認証情報記憶部を持たず、サーバ１１０３から認証情報の供給を受ける点で異なる。その他の構成および動作は、第２実施形態と同様であるため、同じ構成および動作については同じ符号を付してその詳しい説明を省略する。
【００７０】
サーバ１１０３は、認証情報送受信部１１３１を導入して、認証情報格納部１１３２をスマートフォン１１０１の外部に位置する形態としている。ロック解除部４０４は、図６のステップＳ６０３で説明した処理において、紛失防止デバイス２０２から受信した認証情報と、サーバ１１０３の認証情報格納部１１３２から読出し、認証情報送受信部１１３１を介して受信した認証情報との照合を行なう。
【００７１】
本実施形態によれば、認証情報格納部１１３２をスマートフォンの外部に独立した装置として存在させるため、同様の構成を有する複数のスマートフォンから各々の利用者の認証情報を格納し、認証情報を共有することが可能となる。この結果、スマートフォンを複数の利用者で共有することが可能となるという効果がある。
【００７２】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００７３】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ（World Wide Web）サーバも、本発明の範疇に含まれる。特に、少なくとも、非一時的コンピュータ可読媒体（non-transitory computer readable medium）は本発明の範疇に含まれる。
【００７４】
［実施形態の他の表現］
上記の実施形態の一部または全部は、以下の付記のようにも記載されうるが、以下には限られない。
（付記１）
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、外部からの操作に対して認証を要求するロック状態に遷移するロック手段と、
前記他の携帯通信端末と通信可能になったことを確認して、前記ロック状態を解除するための認証情報を前記他の携帯通信端末から受信する受信手段と、
前記受信手段で受信した前記認証情報に基づいて、前記ロック状態を解除するロック解除手段と、
前記ロック手段によるロック状態への遷移およびロック解除手段によるロック状態の解除、の少なくとも一方を許可するための許可条件を設定する条件設定手段と、
を備えた携帯通信端末。
（付記２）
前記許可条件は、あらかじめ定めた時刻および場所の少なくともいずれか一方を含む付記１に記載の携帯通信端末。
（付記３）
前記受信手段が前記他の携帯通信端末から受信する認証情報は、前記他の携帯通信端末固有の情報、前記他の携帯通信端末にユーザが入力した情報、または、前記携帯通信端末から前記他の携帯通信端末に対してあらかじめ送信された情報のいずれかである付記１または２に記載の携帯通信端末。
（付記４）
前記受信手段で受信した前記認証情報と照合を行なうべき認証情報をあらかじめ記憶する認証情報記憶手段をさらに有する付記１乃至３のいずれか１項に記載の携帯通信端末。
（付記５）
前記受信手段で受信した前記認証情報と照合を行なうべき認証情報をあらかじめ記憶する認証情報記憶装置から前記認証情報を受信する認証情報受信手段をさらに有する付記１乃至３のいずれか１項に記載の携帯通信端末。
（付記６）
前記ロック状態に遷移した場合に、警告音声を出力する音声出力手段をさらに備えた付記１乃至５のいずれか１項に記載の携帯通信端末。
（付記７）
前記音声出力手段は、前記他の携帯通信端末からの指示に応じて音声を出力する付記６に記載の携帯通信端末。
（付記８）
他の携帯通信端末との間で近距離通信を行なう近距離通信手段と、
前記近距離通信手段による前記他の携帯通信端末との間の通信状況に基づいて、前記他の携帯通信端末との距離が所定値以上になったと判断した場合に、警告音声を出力する音声出力手段と、
前記他の携帯通信端末と通信可能になったことを確認して、前記他の携帯通信端末のロック状態を解除するための認証情報を前記他の携帯通信端末に送信する送信手段と、
前記他の携帯通信端末から警告音声を出力させるための音声出力指示手段と、
を備えた携帯通信端末。
（付記９）
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
を含む携帯通信端末の制御方法。
（付記１０）
他の携帯通信端末との間で近距離通信を行なう近距離通信ステップと、
前記近距離通信ステップによる前記他の携帯通信端末との間の通信状況に基づいて、前記他の携帯通信端末との距離が所定値以上になったと判断した場合に、外部からの操作に対して認証を要求するロック状態に遷移するロックステップと、
前記他の携帯通信端末と通信可能になったことを確認して、前記ロック状態を解除するための認証情報を前記他の携帯通信端末から受信する受信ステップと、
前記受信ステップで受信した前記認証情報に基づいて、前記ロック状態を解除するロック解除ステップと、
前記ロックステップによるロック状態への遷移およびロック解除ステップによるロック状態の解除、の少なくとも一方を許可するための許可条件を設定する条件設定ステップと、
をコンピュータに実行させる携帯通信端末の制御プログラム。
【図１】
2014170429.tif 000003
【図２Ａ】
2014170429.tif 000004
【図２Ｂ】
2014170429.tif 000005
【図３】
2014170429.tif 000006
【図４Ａ】
2014170429.tif 000007
【図４Ｂ】
2014170429.tif 000008
【図５】
2014170429.tif 000009
【図６】
2014170429.tif 000010
【図７】
2014170429.tif 000011
【図８】
2014170429.tif 000012
【図９】
2014170429.tif 000013
【図１０】
2014170429.tif 000014
【図１１】
2014170429.tif 000015